(57)【特許請求の範囲】
【請求項１】
キャビネット本体の両側の前面にサイドミラー、中央の前面にセンターミラーが各々開閉自在に設けられ、キャビネット本体内部が縦間仕切り板で区画されてサイドミラーの後側にサイド収納部が、センターミラーの後側にセンター収納部がそれぞれ形成されている三面鏡型のミラーキャビネットにおいて、
前記センター収納部には、棚板で上下に区画されて収納棚が形成されており、前記サイド収納部及び前記センター収納部を区画する前記縦間仕切り板は、上部が切欠かれて、その上端が前記センター収納部の最上段の収納棚とキャビネット本体の天板との間の距離に対し、１／２〜１／４の高さに位置し、前記センター収納部の最上段の前記収納棚には、切欠かれた前記縦間仕切り板を介して隣接する前記サイド収納部の収納空間と連通する収納空間が形成されていることを特徴とするミラーキャビネット。
【請求項２】
前記センター収納部の前面に、収納物の落下を防止する落下防止バーが設けられていることを特徴とする請求項１に記載のミラーキャビネット。
【発明の詳細な説明】
【技術分野】
【０００１】
本発明は、ミラーキャビネットに関するものである。
【背景技術】
【０００２】
従来より、キャビネット本体の両側の前面にサイドミラー、中央の前面にセンターミラーが各々開閉自在に設けられ、サイドミラー及びセンターミラーの後側にはキャビネット本体内部が縦間仕切り板で区画されてそれぞれ収納部が形成されている三面鏡型のミラーキャビネットが知られている。この種のミラーキャビネットにおいては、一般に各収納部の奥行きや幅方向の寸法が制限されるため収納量に限界がある。
【０００３】
そこで、収納物の大きさや使用頻度に合わせて小物から大物まで収納することができるように、ミラーキャビネットを大型化することなしにキャビネット本体内部をできるだけ有効利用する工夫がなされている。例えば、特許文献１のように、三面鏡の両側のサイドミラー扉の裏側に収納棚をそれぞれ取り付け、収納棚の背後側のキャビネット本体内にサイド収納部を設けると共に三面鏡の中央ミラー扉の背後側のキャビネット本体内に中央収納部を設け、収納棚とサイド収納部とが接触しない範囲内で且つ中央ミラー扉と中央収納部とが接触しない範囲内で、中央収納部をサイド収納部よりも前方に突出させて中央収納部の奥行き寸法をサイド収納部の奥行き寸法よりも大きくしたミラーキャビネットが提案されている。このミラーキャビネットによれば、キャビネット本体のサイド収納部の前方の空間部を利用して、サイドミラー扉の裏側の収納棚を納めることができるので、ミラーキャビネット内部の空間を有効利用でき、ミラーキャビネットを大型化することなく、収納量の増加及び収納効率の向上を図ることができる。また、サイドミラー扉の裏側の収納棚に普段よく使う化粧小物を収納し、キャビネット本体に設けられる奥行き寸法の小さいサイド収納部に歯ブラシ等の細長い小物などを収納し、奥行き寸法の大きい中央収納部に化粧ボトル等の大物を収納したりすることで、収納物の大きさやその使用頻度に合わせて、きっちりと収納できるようになり、収納性が大幅に向上する。
【特許文献１】特開２００３−２３５６５５号公報
【発明の開示】
【発明が解決しようとする課題】
【０００４】
しかしながら、上記ミラーキャビネットのように優れた収納性を有していても、例えば、いわゆるブラシ付きドライヤーでブラシが付いた状態での収納については、上記ミラーキャビネットにおける奥行き寸法の大きい中央収納部での収納が困難であり、長物の収納性に限界があった。このような長物については立てかけるようにして収納部に縦置きに収納することも考えられるが不安定であり、また上下方向に収納空間を確保することになり、その結果、その他の収納物を収納することができなくなって収納効率が低下してしまう、等の問題があった。
【０００５】
本発明は、以上の通りの事情に鑑みてなされたものであり、キャビネット本体内部を有効利用して、長物の収納物を安定した状態で収納できるミラーキャビネットを提供することを課題としている。
【課題を解決するための手段】
【０００６】
本発明のミラーキャビネットは、上記の課題を解決するために、以下のことを特徴とする。
【０００７】
第１には、キャビネット本体の両側の前面にサイドミラー、中央の前面にセンターミラーが各々開閉自在に設けられ、キャビネット本体内部が縦間仕切り板で区画されてサイドミラーの後側にサイド収納部が、センターミラーの後側にセンター収納部がそれぞれ形成されている三面鏡型のミラーキャビネットにおいて、前記センター収納部には、棚板で上下に区画されて収納棚が形成されており、前記サイド収納部及び前記センター収納部を区画する前記縦間仕切り板は、上部が切欠かれて、その上端が前記センター収納部の最上段の収納棚とキャビネット本体の天板との間の距離に対し、１／２〜１／４の高さに位置し、前記センター収納部の最上段の前記収納棚には、切欠かれた前記縦間仕切り板を介して隣接する前記サイド収納部の収納空間と連通する収納空間が形成されていることを特徴とする。
【０００８】
第２には、第１の発明において、前記センター収納部の前面に、収納物の落下を防止する落下防止バーが設けられていることを特徴とする。
【発明の効果】
【００１０】
第１の発明によれば、サイド収納部及びセンター収納部を区画する縦間仕切り板が切欠かれ、センター収納部には、切欠かれた縦間仕切り板を介して隣接するサイド収納部の収納空間と連通する収納空間が形成されていることにより、例えば、ブラシ付きドライヤーのような長物の収納に際しては、ブラシを付けた状態で横方向に収納できる。したがって、キャビネット本体内部を有効利用して長物を安定した状態で収納できる。また、収納物を立てかけて縦置きに収納することに比べて横置きの方がその設置及び取り出しが容易であること、ブラシをドライヤーから外す手間がなくなる、等の利点もある。
【００１１】
さらに、キャビネット本体内部の上部空間を効果的に有効利用することができる。
【００１２】
センター収納部の前面に落下防止バーが設けられている第２の発明によれば、各収納部に収納された収納物をより安定した状態で収納でき、収納物の落下を防止することができる。
【発明を実施するための最良の形態】
【００１３】
以下に、図面に基づいて本発明の実施形態について説明する。
【００１４】
図１及び図２は、それぞれ本発明の一実施形態に係るミラーキャビネットの前面のミラーを外した状態の正面図と斜視図である。図３は本発明の一実施形態に係るミラーキャビネットの斜視図である。
【００１５】
本実施形態に係るミラーキャビネットは、図３に示すように、洗面ボウル１９を有する洗面カウンター２０の後部に載置されており、洗面カウンター２０は洗面キャビネット２１の上部に載置され固定されている。
【００１６】
ミラーキャビネットは、キャビネット本体１と、その前面に取り付けられる左右両側のサイドミラー２，３及び中央のセンターミラー４から構成されている。サイドミラー２，３はサイドミラー扉板５，６の前面に形成されており、このサイドミラー扉板５，６はキャビネット本体１の両側の前面に一端が蝶番にて枢着され、図４に示すように、前方に開閉自在になっており、三面鏡として使用できるようになっている。センターミラー４はセンターミラー扉板７の前面に形成されている。このセンターミラー扉板７はキャビネット本体１の中央の前面に一端が蝶番にて枢着されており、サイドミラー扉板５，６と同様、図４に示すよう前方に開閉自在になっている。
【００１７】
図１及び図２に示すように、キャビネット本体１はその内部が左右の縦間仕切り板８，９で区画され、前面に開口する、左右両側のサイド収納部１０，１１と中央のセンター収納部１２が形成されている。ここで、サイド収納部１０，１１は前面がサイドミラー扉板５，６で閉塞されるようにその後側に形成されており、センター収納部１２は前面がセンターミラー扉板７で閉塞されるようにその後側に形成されている。したがって、左右両側のサイド収納部１０，１１及びセンター収納部１２への収納物の出し入れは、それぞれサイドミラー扉板５，６及びセンターミラー扉板７を開閉してなされる。
【００１８】
センター収納部１２は上下２枚の棚板１３，１４で上下に３つに区画されて収納棚１５，１６，１７が形成されており、各収納棚１５，１６，１７において化粧品、整髪料等の収納物が収納されるようになっている。左右両側のサイド収納部１０，１１においては、着脱可能なトレイを収納物の大きさに応じて所定の高さに適宜設置して収納できるようになっている。
【００１９】
本実施形態では、図１及び図２に示すように、サイド収納部１０，１１及びセンター収納部１２を区画する左の縦間仕切り板８の上部が切欠かれており、センター収納部１２の収納空間１５ａは、切欠かれた左の縦間仕切り板８を介して隣接する左側のサイド収納部１０の収納空間１０ａと連通している。具体的には、左の縦間仕切り板８は、その上端８ａがセンター収納部１２の最上段の収納棚１５とキャビネット本体１の天板１ａとの間の距離Ａに対して、その中程から最上段の収納棚１５から１／４程度の高さの位置になるように配設されている。したがって、センター収納部１２の最上段の収納棚１５の収納空間１５ａの右側は右の縦間仕切り板９で閉塞されているが、左側は左の縦間仕切り板８の上方が奥行き方向にわたって開口しており、左の縦間仕切り板８を介して隣接する左側のサイド収納部１０の収納空間１０ａと連通している。これよって、センター収納部１２の最上段の収納棚１５の収納空間１５ａは、その上部において左右の縦間仕切り板８，９間の幅方向の寸法Ｂに制限されず、収納物の収納に際しては隣接する左側のサイド収納部１０の収納空間１０ａを有効に利用することができる。
【００２０】
例えば、従来では、いわゆるブラシ付きドライヤーのような長物Ｃをブラシを付けた状態で収納することができなかったが、本実施形態に係るミラーキャビネットにおいては、ブラシ付きドライヤーのブラシ部を隣接する左側のサイド収納部１０の収納空間１０ａに進入するように、ドライヤー部をセンター収納部１２の最上段の収納棚１５に横置きに載置することで、センター収納部１２の最上段の収納棚１５での長物Ｃの収納が可能になる。このとき、収納した長物Ｃが左側のサイド収納部１２に落ちないように、上述したが、左の縦間仕切り板８の上端８ａがセンター収納部１２の最上段の収納棚１５とキャビネット本体１の天板１ａとの間の距離Ａに対して、その中程から最上段の収納棚１５から１／４程度の高さの位置になるように設定される。例えば、最上段の収納棚１５において左の縦間仕切り板８の高さが３０〜５０ｍｍ程度、好ましくは約５０ｍｍになるように設定される。これによって、左側のサイド収納部１０の収納空間１０ａにその一部が進入して最上段の収納棚１５に収納された長物Ｃは、正面から見て右下下がり傾斜して載置されることになり、左側のサイド収納部１０への落下を防止できる。
【００２１】
さらに、本実施形態では、センター収納部８の各収納棚１５，１６，１７の収納空間１５ａ，１６ａ，１７ａの手前側に丸棒状の落下防止バー１８が左右の縦間仕切り板８，９間にわたって架設されている。この落下防止バー１８によって、各収納棚１５，１６，１７の収納空間１５ａ，１６ａ，１７ａに収納された長物Ｃ、歯ブラシや化粧小物等の小物等の収納物をより安定した状態で収納できる共に、収納物の落下を防止できる。
【００２２】
なお、以上の実施形態では、左の縦間仕切り板の上部が切欠かれているミラーキャビネットについて説明したが、これに限定されることなく、例えば、右の縦間仕切り板の上部が切欠かれていてもよいし、左右の縦間仕切り板の上部が切欠かれていてもよい。また、縦間仕切り板の切欠かれる箇所も上部の位置に限定されるものではなく、例えば、下部あるいは中央の位置であってもよい。これによって左右の縦間仕切り板間の幅方向の寸法に制限されず、隣接するサイド収納部の収納空間を有効利用して長物を収納できる。さらに、棚板及び落下防止バーの数や形状等は適宜設計変更可能である。
【図面の簡単な説明】
【００２３】
【図１】本発明の一実施形態に係るミラーキャビネットの前面のミラーを外した状態の正面図である。
【図２】同実施形態に係るミラーキャビネットの前面のミラーを外した状態の斜視図である。
【図３】同実施形態に係るミラーキャビネットの斜視図である。
【図４】ミラーキャビネットの前面のサイドミラー扉板及びセンターミラー扉板の開閉を説明するための平面図である。
【符号の説明】
【００２４】
１  キャビネット本体
２、３  サイドミラー
４  センターミラー
８，９  縦間仕切り板
８ａ  上端
１０，１１  サイド収納部
１０ａ  収納空間
１２  センター収納部
１３，１４  棚板
１５，１６，１７  収納棚
１５ａ，１６ａ，１７ａ  収納空間
１８  落下防止バー
Ａ  最上段の収納棚とキャビネット本体の天板との間の距離
Ｂ  左右の縦間仕切り板間の幅方向の寸法
Ｃ  長物
【図１】
0005149579.tif 000002
【図２】
0005149579.tif 000003
【図３】
0005149579.tif 000004
【図４】
0005149579.tif 000005